(57)【要約】    【課題】  取付部に固定された水栓本体がガタツキを生じず取付部に対して確実に固定された状態を維持でき、取付部裏側に水もれが生じないようにすることのできる簡便な水栓取付構造を提供すること。    【解決手段】  ボルト２２には、第１のピッチで刻設された第１の雄ねじ２１と、ボルト２２先端寄りに設けられると共に第１のピッチよりも小さい第２のピッチで刻設された第２の雄ねじ２３と、が備えられ、ボルト２２基端側に取り付けられ第１の雄ねじ２１に螺着される第１の雌ねじ４２が刻設された第１のナット３４と、ボルト２２先端側に取り付けられ第２の雄ねじ２３に螺着される第２の雌ねじ４４が刻設された第２のナット３５とが備えられる。    【選択図】    図３
2005098026.tif 000002
【特許請求の範囲】
【請求項１】
天板等の取付部に穿設された取付穴に、水栓本体の下方に延出された雄ねじ部を挿通させ、該取付部裏側から前記雄ねじ部にナットを螺着し、前記水栓本体と前記ナットとにより前記取付部を狭持することにより、前記水栓本体を前記取付部に取付固定する水栓取付構造であって、
前記雄ねじ部には、第１のピッチで刻設された第１の雄ねじと、
前記雄ねじ部先端寄りに少なくとも設けられると共に該第１のピッチよりも小さい第２のピッチで刻設された第２の雄ねじと、が備えられ、
前記雄ねじ部基端側に取り付けられ前記第１の雄ねじに螺着される第１の雌ねじが刻設された第１のナットと、前記雄ねじ部先端側に取り付けられ前記第２の雄ねじに螺着される第２の雌ねじが刻設された第２のナットとが備えられることを特徴とする水栓取付構造。
【請求項２】
前記第１のナットと前記第２のナットの外径が異なることを特徴とする請求項１に記載の水栓取付構造。
【請求項３】
前記第２のナットの外径が前記第１のナットの外径よりも大径であることを特徴とする請求項２に記載の水栓取付構造。
【発明の詳細な説明】
【技術分野】
【０００１】
本発明は、天板等の取付部に穿設された取付穴に水栓本体を取付固定する水栓取付構造に関する。
【背景技術】
【０００２】
従来、天板等の取付部に穿設された取付穴に、水栓本体の下方に延出された雄ねじ部を挿通させ、該取付部裏側から前記雄ねじ部にナットを螺着し、前記水栓本体と前記ナットとにより前記取付部を狭持することにより、前記水栓本体を前記取付部に取付固定する水栓取付構造が用いられている（例えば、特許文献１参照。）。
【０００３】
【特許文献１】特開平８−２４６５２２号公報（第３頁右欄第８行〜１７行、図１、図２）
【発明の開示】
【発明が解決しようとする課題】
【０００４】
しかしながらこのような従来の水栓取付構造では、取付時には取付部に水栓本体が確実に固定されていても、取付後に、ハンドル操作時等に使用者によって水栓本体に加えられる力や、水栓使用時のウォーターハンマ等の振動によって、締め付けられたナットが徐々に緩み、その結果水栓本体がガタツキを生じたり、水栓本体と取付部との間に隙間が生じてこの隙間から取付部裏側に湯水が浸入するおそれがあるという問題を生じていた。
【０００５】
本発明は上記した従来の水栓取付構造の問題点を解消するものであり、取付部に固定された水栓本体がガタツキを生じず取付部に対して確実に固定された状態を維持でき、取付部裏側に水もれが生じないようにすることのできる簡便な水栓取付構造を提供することを目的とする。
【課題を解決するための手段】
【０００６】
以上の課題を解決するために、本発明の採った手段を以下に説明する。本発明の水栓取付構造は「天板等の取付部に穿設された取付穴に、水栓本体の下方に延出された雄ねじ部を挿通させ、該取付部裏側から前記雄ねじ部にナットを螺着し、前記水栓本体と前記ナットとにより前記取付部を狭持することにより、前記水栓本体を前記取付部に取付固定する水栓取付構造であって、前記雄ねじ部には、第１のピッチで刻設された第１の雄ねじと、
前記雄ねじ部先端寄りに少なくとも設けられると共に該第１のピッチよりも小さい第２のピッチで刻設された第２の雄ねじと、が備えられ、前記雄ねじ部基端側に取り付けられ前記第１の雄ねじに螺着される第１の雌ねじが刻設された第１のナットと、前記雄ねじ部先端側に取り付けられ前記第２の雄ねじに螺着される第２の雌ねじが刻設された第２のナットとが備えられることを特徴とする水栓取付構造。」（請求項１）である。
【０００７】
このように水栓取付構造を構成することにより、雄ねじ部（例えば、ボルト）に螺着された第１のナットの緩み防止を第２のナットにより行うことができる。本発明においては、第２のナットは、第１のナットが螺着される第１の雄ねじよりも小さいピッチである第２の雄ねじに螺着されているので、両ナットが同一量回転する場合の雄ねじ部螺進方向における両ナットの移動量は、雄ねじ部先端側に取り付けられた第２のナットの方が小さいこととなる。よって、水栓本体の振動等によってナットが緩もうとしても、第２のナットが第１のナットよりも大きく回転するのでなければ両ナットが同時に緩むことはないので、両ナットが共回りしようとする程度では容易には緩まない。したがって、ナットの緩みによる水栓本体のガタツキ等のおそれを非常に少なくすることができる。また、このように、異なるピッチで刻設された２つの雄ねじが設けられた雄ねじ部と２つのナットを用いるだけの簡便な構造により水栓本体のガタツキ等を極めて確実に防止することができる。
【０００８】
本発明では、雄ねじ部の基端側には第１のピッチの雄ねじに螺着される第１のナットがねじ込まれるが、雄ねじ部の先端側には第２のピッチの雄ねじに螺着される第２のナットがねじ込まれるだけなので、第２のピッチの雄ねじは、少なくとも雄ねじ部の先端側に設けられていれば足りる。  
【０００９】
また、上記水栓取付構造において、第１のナットと第２のナットの外径が異なるものとすること（請求項２）により、両ナットを工具で締付又は緩める作業の際に、作業者は、いずれのナットかを確実に区別して作業を行うことができる。雄ねじ部先端側に第２のナットが螺着されている状態のままでは雄ねじ部基端側の第１のナットを緩めることはできないが、特に、水栓取付後にメンテナンス等のためにナットを緩める作業の際に、取付部裏側の水栓取付構造周辺を目視することが困難な場合もあり、このような場合に誤って第１のナットを無理に緩めようとすると雄ねじ部や第１のナットのねじ山を潰してしまうおそれがある。しかしながら、本水栓取付構造では、それぞれのナットの外径が異ならせてあるため、作業者が締付又は緩めるべきナットを取り違えるおそれは非常に少ない。
【００１０】
また、上記水栓取付構造において、第２のナットの外径を第１のナットの外径よりも大径とすることもできる（請求項３）。
【００１１】
天板等の取付部の裏側に配設される水栓取付構造では、雄ねじ部にナットを締付又は緩めるスパナを用いるための充分な作業空間が無い場合も多いため、いわゆるボックスレンチを用いることが多い。本発明のように第１のナットよりも大径の第２ナットを備えるものとすると、ボックスレンチでは、第２のナットよりも雄ねじ部基端側に位置すると共に第２のナットよりも小径の第１のナットを回すことはできない。したがって、例えばメンテナンスのために両ナットを緩めて水栓本体を取り外すような作業において、第２のナットを先に緩めずに第１のナットを回してしまうおそれは無いので、第２のナットが螺着されているにもかかわらず誤って第１のナットを無理に回してしまい、第１のナット又は雄ねじ部のねじ山を潰すおそれがない。
【発明の効果】
【００１２】
本発明の水栓取付構造は上記のように、雄ねじ部には、第１のピッチで刻設された第１の雄ねじと、雄ねじ部先端寄りに少なくとも設けられると共に第１のピッチよりも小さい第２のピッチで刻設された第２の雄ねじと、が備えられ、雄ねじ部基端側に取り付けられ第１の雄ねじに螺着される第１のナットと、雄ねじ部先端側に取り付けられ第２の雄ねじに螺着される第２のナットとが備えられるので、水栓本体のガタツキを確実に防止でき、取付部裏側への湯水の浸入を防止することができる。また、第２のナットの外径を第１のナットの外径よりも大径とすること（請求項２）や、第２のナットの外径を第１のナットの外径よりも大径とすること（請求項３）により、ナットの締付・緩め作業時の２つのナットの取り違えを防止でき、特に、ナットを緩める作業の際に、第１のナット及び雄ねじ部のねじ山を潰してしまうことを防止できる。
【発明を実施するための最良の形態】
【００１３】
次に、本発明の水栓取付構造の実施の形態を図を参考にして詳細に説明する。本発明の水栓取付構造２０は、図１に示すように、略円筒形状の水栓本体１０を洗面台のデッキ面の天板１上に取付固定するために用いられるものである。水栓本体１０は、全体が略円筒形状に形成され、その上部に取着された操作ハンドル１２の操作によって、給水・給湯配管（図示省略）から供給される水・湯を内蔵された混合弁装置（図示省略）により適宜混合し、その側面に回動自在に取り付けられた吐水管１４の先端の吐水口（図示省略）から湯水を吐出させるものである。
【００１４】
天板１には、水栓本体１０のボルト２２等が挿通される取付穴２が穿設されている。水栓本体１０の外径は、この取付穴２よりも大径に形成されると共に、水栓本体１０の下部には取付穴２よりも若干小径の挿通部１６が形成されており、水栓本体１０側面から挿通部１６にかけて形成される段部１８がパッキン３を介在させて取付穴２の周縁部に載置されて、天板１上に水栓本体１０が載置されこととなる。また、図１及び図２に示すように、挿通部１６の下部からは、給水ホース・給湯ホース（図示省略）がそれぞれ接続される給水サプライ管２４，給湯サプライ管２６及びボルト２２（雄ねじ部）が突設されており、これらの給水サプライ管２４，給湯サプライ管２６及びボルト２２が取付穴２に挿通されて天板１裏側に突出されことになる。
【００１５】
また、天板１の裏側には、天板１の裏側に当接されるようにして、座金２８が取り付けられている。座金２８は全体が馬蹄形状に形成されており、また、ボルト２２が挿通される挿通孔３０が設けられている。そしてこの座金２８の両腕部３２の間に上記した給水サプライ管２４，給湯サプライ管２６が抱えられるようにして、かつ、挿通孔３０にはボルト２２が挿通されて、下部のナット３４，３５によって座金２８が天板１に圧着されるようにして押しつけられている。
【００１６】
ボルト２２には、座金２８よりも先端側に、基端側に第１のナット３４、先端側に第２のナット３５が螺着されている。ナット３４は、図１及び図２に示すように、やや長めの六角柱状に形成されている。ナット３５は、このナット３４よりも短めの六角柱状に形成されるとともに、その外径は、ナット３４よりも大きく設けられている。
【００１７】
ボルト２２には、図３に示すように、異なるピッチにより刻設された２つの雄ねじが形成されている。第１の雄ねじ２１は１．２５ミリの間隔で刻設され、一方、第２の雄ねじ２３は０．７５ミリの間隔で刻設されている。そして、ボルト２２の先端から基端までにはこの第１の雄ねじ２１が刻設されると共に、ボルト２２の先端寄りには、さらに第２の雄ねじ２３も重複して刻設されている。そして、上記した第１のナット３４には１．２５ミリの間隔で第１の雌ねじ４２が刻設されており、第２のナット３５には０．７５ミリの間隔で第２の雌ねじ４４が刻設されている。このように構成された第１のナット３４は、その上部に位置する座金２８を天板１方向に押しつけた状態となるまでボルト２２の基端側にねじ込まれており、さらにこのナット３４の下方からは、第２のナット３５が、ナット３４に圧着された状態となるまでボルト２２にねじ込まれている。このように、ボルト２２にナット３４，３５がねじ込まれ、座金２８の上面と水栓本体１０下面の段部１８とにより天板１が挟持固定されて、水栓本体１０が天板１に取付固定されている。
【００１８】
上記したナット３４は、ボルト２２の先端側にねじ込まれたナット３５により緩みが防止されており、水栓本体１０に加えられる振動などによりナット３４が緩もうとしても、ナット３５が緩まなければ、このナット３５に規制されて容易には緩まないように設けられている。一方で、単に２つのナットをねじ込んだだけでは、振動などによってナット３４と共にナット３５も共回りしてしまう場合にはナット３５と共にナット３４も緩んでしまうおそれがあるが、ナット３４は１．２５ミリピッチの雄ねじに螺着されると共に、ナット３５は０．７５ミリピッチの雄ねじに螺着されているので、同じく緩む方向にナット３４，３５が回ろうとしても、同じ回転量では、ボルト２２先端方向においてナット３５の移動量はナット３４よりも小さくなる。したがって、ナット３４がナット３５と共に共回りをしようとしても、ボルト２２先端方向への移動量が小さいナット３５に規制されてナット３４は容易には緩まない。したがって、この水栓取付構造２０では、ナット３４とナット３５が共回りすることにより両ナット３４，３５が緩むおそれも防止することができる。
【００１９】
このようにして構成された水栓取付構造２０を用いて水栓本体１０を天板１に取付固定するには、以下のような作業を行う。まず、天板１裏側に引き回された給水ホース・給湯ホースを取付穴２から天板１上に引き出して、給水サプライ管２４、給湯サプライ管２６にそれぞれ接続する。次いで、水栓本体１０の挿通部１６と共に給水サプライ管２４，給湯サプライ管２６及びボルト２２を取付穴２裏側に挿通すると共に段部１８を取付穴２周縁部に係止させて水栓本体１０を天板１上に載置する。次いで、天板１裏側から、ボルト２２に挿通して座金２８を天板１側にスライドさせる。この際には、座金２８の両腕部３２の間に給水サプライ管２４、給湯サプライ管２６が抱え込まれるように位置させておく。
【００２０】
そして、座金２８が天板１裏側に充分に圧着されて水栓本体１０が天板１に完全に固定されるまでナット３４をボルト２２にねじ込む。なお、天板１裏側には、スパナ等を用いてナット３４，３５のねじ込み作業を行うのに充分な空間が無い場合が多いので、図２に示すようなボックスレンチ３６等の工具を用いると作業を容易に行うことができる。図２では、ナット３５に嵌合する大きさの嵌合穴３８が設けられたアダプター４０が取り付けられたボックスレンチ３６が用いられているが、先に行うナット３４のねじ込み作業時には、ナット３４に嵌合する大きさの嵌合穴が設けられた別のアダプターが取り付けられたボックスレンチを用いる。次いで、図２に示すようなアダプター４０に取り替えたボックスレンチ３６を用いてナット３４に圧着されるまでナット３５をねじ込む。このようにしてナット３４が座金２８を天板１に充分に圧着して、座金２８と水栓本体１０により天板１が挟持されて水栓本体１０が天板１に取付固定されると共に、ナット３５がナット３４の緩みを防止する。
【００２１】
また、取付固定された水栓本体１０を、メンテナンス等のために、天板１から取り外す必要が生じることもある。この際に、例えばボルト２２基端側のナット３４の外径が先端側のナット３５の外径よりも大きい場合には、誤ってナット３４に嵌合するアダプターを取り付けたボックスレンチ３６等の工具を用いると、ナット３５がボルト２２に螺着された状態のまま、ナット３５よりもボルト２２基端側のナット３４を緩めるようとすることとなり、ボルト２２及びナット３４のねじ山を潰してしまうおそれがあるが、上記したように、本水栓取付構造１０ではナット３５の外径がナット３４の外径よりも大きく形成されているので、ナット３５用のアダプター４０を取り付けたボックスレンチ３６等の工具を用いる場合には、アダプター４０がナット３４に嵌合することがないので、ナット３４等のねじ山をつぶすおそれがない。また、アダプター４０ではなく、誤ってナット３４に嵌合するアダプターを取り付けたままのボックスレンチ３６等の工具を用いようとしても、ナット３５が邪魔をしてナット３５がボルト２２に螺着されたままではナット３４を緩めることはできない。
【００２２】
本実施の形態は上記のように構成されているが、本発明はこれに限られることなく、本発明の趣旨の範囲内で種々の変更が可能である。例えば、ボルト２２に刻設される２つの異なるピッチの雄ねじ及び両ナット３４，３５の雌ねじは、１．２５ミリピッチと０．７５ミリピッチのものに限られず、ボルト２２先端側に小さいピッチの雄ねじが刻設されていれば、他のピッチで刻設しても良い。また、座金２８は必須の部材ではないが、水栓本体１０をより安定的に天板１に取付固定するためには用いることが好ましい。また、二つの第１・第２ナットが同じ外径のものであっても、ナット２２の緩み防止は可能であるが、ナット２２を緩める作業においては両者の外径を異ならせることが好ましく、さらに好ましくは、ナット３５の外径をナット３４よりも大きくすることが良い。また、上記の実施形態では給水サプライ管２４、給湯サプライ管２６、ボルト２２（雄ねじ部）がそれぞれ水栓本体１０の挿通部１６に突設されている例であるが、例えば図４に示すように、雄ねじ部４６の内部を給水サプライ管２４、給湯サプライ管２６あるいは給水ホース、給湯ホース等が挿通するようにしても良い。
【図面の簡単な説明】
【００２３】
【図１】本発明の実施の形態に係る水栓取付構造及び水栓本体の一部縦断面図である。
【図２】本発明の実施の形態に係る水栓取付構造の斜視図である。
【図３】ボルト及びナットの要部拡大縦断面図である。
【図４】本発明の別の実施の形態に係る水栓取付構造及び水栓本体の一部縦断面図である。
【符号の説明】
【００２４】
１；天板、２；取付穴、３；パッキン、１０；水栓本体、１２；操作ハンドル、１４；吐水管、１６；挿通部、１８；段部、２０；水栓取付構造、２１；第１の雄ねじ、２２；ボルト、２３；第２の雄ねじ、２４；給水サプライ管、２６；給湯サプライ管、２８；座金、３０；挿通孔、３２；腕部、３４；第１のナット、３５；第２のナット、３６；ボックスレンチ、３８；嵌合穴、４０；アダプター、４２；第１の雌ねじ、４４；第２の雌ねじ、４６；雄ねじ部。
【図１】
2005098026.tif 000003
【図２】
2005098026.tif 000004
【図３】
2005098026.tif 000005
【図４】
2005098026.tif 000006